(57)【特許請求の範囲】
【請求項１】
２つのケーブルエンドを固定するウインドレギュレータ用のキャリアプレートであって、一方のケーブルエンドを係止するケーブル係止部と、他方のケーブルエンドをケーブル軸方向に移動自在に収容して係止するケーブルホルダと、他方のケーブルエンドのケーブルを湾曲させながらケーブルホルダに導くガイド溝とを備え、
前記ケーブルホルダが、ガイド溝と連通する連通孔を備えた底部と、その底部から延びる側壁とから構成される中空体であり、
前記ケーブルホルダの底部と収容されるケーブルエンドとの間には、ケーブルエンドを底部から遠ざける方向に付勢する付勢手段が設けられており、
前記ケーブルホルダの外周に挿入して連結することができる中空状のリテイナーを備えた、
キャリアプレート。
【請求項２】
前記ケーブルホルダの側壁が断面Ｕ字状である請求項１記載のキャリアプレート。
【請求項３】
上下に配置されるケーブルガイドと、その上下のケーブルガイドによって閉ループ状に配索されるケーブルと、そのケーブルエンドに取り付けられる請求項１記載のキャリアプレートと、そのケーブルを駆動する駆動装置とからなるウインドレギュレータ。
【発明の詳細な説明】
【技術分野】
【０００１】
本発明はキャリアプレートおよびそれを用いたウインドレギュレータに関する。詳しくは、ケーブル式ウインドレギュレータに用いられるキャリアプレートおよびそれを用いたウインドレギュレータに関する。
【背景技術】
【０００２】
【特許文献１】国際公開公報ＷＯ２００２／０７５０９０号
【０００３】
従来、上下に備え付けられるケーブルガイドと、これらのケーブルガイドの間に配索される閉ループ状のケーブルと、上下のケーブルガイドから延びるケーブルのケーブルエンドを係止すると共に窓ガラスを支持するキャリアプレートと、ケーブルを駆動するケーブル駆動装置とからなるケーブル式ウインドレギュレータが知られている。
このウインドレギュレータの操作は、ケーブル駆動装置を作動させてケーブルを駆動することにより、キャリアプレートに取り付けられた自動車用窓ガラスを上下に開閉させるものである。
【０００４】
このようなウインドレギュレータは、閉ループ状に配索されたケーブルに張力を与えた状態で行われる。そのため、例えば、特許文献１の図１に示すように、キャリアプレートは、窓ガラスが取り付けられた状態で、上下のケーブルガイドから延びるケーブルの軸が同じになるようにケーブルエンドを係止する。これは、キャリアプレートに上下から延びるケーブルの軸を偏心するようにしてケーブルエンドを係止する場合、キャリアプレートに窓ガラスの重量によるねじれの力が加わる。そのため、キャリアプレート自体の強度が一層必要となり、ウインドレギュレータ全体としての軽量化、低コスト化が困難になる。
【０００５】
一方、特許文献１の図１５に示すように、使用等によって発生するケーブルの伸びを吸収するためのケーブル張力の調整機構を備えたケーブル式ウインドレギュレータのキャリアプレートが知られている。これは、キャリアプレートに形成された箱状のケーブル係止部に、ケーブルエンドと、そのケーブルエンドをケーブルを伸ばす方向に付勢するスプリングとを収容することによって実現している。
【発明の開示】
【発明が解決しようとする課題】
【０００６】
しかし、ケーブルの軸を同じにして並べた上で、ケーブルエンドを付勢するスプリングをキャリアプレートに設ける場合、２本のケーブルおよびスプリングを一直線に並べる必要がある。つまり、それぞれのケーブルエンドを係止するケーブル係止部も一直線に設ける必要があり、ケーブル張力の調整手段を充分なものとするには、キャリアプレート自体を大きくする必要がある。一方、ケーブルエンドおよびスプリングを収容するケーブル係止部を小さくすると、スプリングの伸びの吸収効果が低下し、ケーブルが一定以上伸びたときに充分な効果を得ることができない。
本発明は、軽量かつ小型に保ちつつ、使用によって生じるケーブルの伸びを充分に吸収するケーブル張力の調整手段を備えたキャリアプレートを提供することを目的としている。
【課題を解決するための手段】
【０００７】
本発明のキャリアプレートは、２つのケーブルエンドを固定するウインドレギュレータ用のキャリアプレートであって、一方のケーブルエンドを係止するケーブル係止部と、他
方のケーブルエンドをケーブル軸方向に移動自在に収容して係止するケーブルホルダと、他方のケーブルエンドのケーブルを湾曲させながらケーブルホルダに導くガイド溝とを備え、前記ケーブルホルダが、ガイド溝と連通する連通孔を備えた底部と、その底部から延びる側壁とから構成される中空体であり、前記ケーブルホルダの底部と収容されるケーブルエンドとの間には、ケーブルエンドを底部から遠ざける方向に付勢する付勢手段が設けられており、前記ケーブルホルダの外周に挿入して連結することができる中空状のリテイナーを備えたことを特徴としている。
【０００８】
このようなキャリアプレートであって、ケーブルホルダの側壁が断面Ｕ字状であるものが好ましい。
【０００９】
本発明のウインドレギュレータは、上下に配置されるケーブルガイドと、その上下のケーブルガイドによって閉ループ状に配索されるケーブルと、そのケーブルのケーブルエンドに取り付けられる本発明のキャリアプレートと、そのケーブルを駆動する駆動装置とからなることを特徴としている。
【発明の効果】
【００１０】
本発明のキャリアプレートは、他方のケーブルエンドをケーブル軸方向に移動自在に収容して係止するケーブルホルダが、ガイド溝と連通する連通孔を備えた底部と、その底部から延びる側壁とから構成される中空体であり、そのケーブルホルダの底部と収容されるケーブルエンドとの間に、ケーブルエンドを底部から遠ざける方向に付勢する付勢手段が設けられているため、使用によって生じるケーブルの伸びを吸収させることができる。
また、一方のケーブルエンドを係止するケーブル係止部と、他方のケーブルエンドを収容して係止するケーブルホルダと、他方のケーブルエンドのケーブルを湾曲させながらケーブルホルダに導くガイド溝とからなるため、全体としては上下のケーブルは同心状に配置されるが、ケーブル係止部およびケーブルホルダに係止されるそれぞれのケーブルの端部近辺では、ケーブルの軸が偏心している。つまり、上記ケーブル張力を充分に調整できる小型のキャリアプレートを得ることができる。
さらに中空状のケーブルホルダの外周に挿入して、連結する中空状のリテイナーを備えているため、収容されるケーブルエンドおよびスプリングの飛び出し等を防止することができる。
【００１１】
このようなキャリアプレートであって、前記ケーブルホルダの側壁が断面Ｕ字状である場合、ケーブルエンドおよびスプリングを側壁の開口から容易に収容できる。また、リテイナーによって、その側壁の開口からの飛び出しを防止することができる。
【００１３】
本発明のウインドレギュレータは、上述した本発明のキャリアプレートを備えているため、使用によって生じるケーブルの伸びに対応した軽量のウインドレギュレータを得ることができる。
【発明を実施するための最良の形態】
【００１４】
本発明のキャリアプレートおよびそれを用いたウインドレギュレータを図面を用いて説明する。図１ａ、ｂは、本発明のキャリアプレートの一実施形態を示す正面図、背面図；図２ａ、ｂ、ｃは、図１のキャリアプレートのエンドホルダを示す正面図、背面図、左側面図；図３ａ、ｂは、それぞれ本発明のキャリアプレートに用いられるケーブルエンドの側面図、図３ｃ、ｄは、本発明のキャリアプレートに用いられるガラスホルダーの正面図、背面図；図４ａ、ｂ、ｃは、図１のキャリアプレートのリテイナーを示す正面図、背面図、左側面図；図５ａ、ｂは、図１のキャリアプレートとガラスホルダーの連結状態を示す正面図、背面図；図６ａ、ｂは、本発明のキャリアプレートの他の実施形態を示す正面図、背面図；図７ａ、ｂ、ｃは、図６のキャリアプレートのエンドホルダを示す正面図、背面図、左側面図；図８ａ、ｂ、ｃは、図６のキャリアプレートのリテイナーを示す正面図、背面図、左側面図；図９は、本発明のウインドレギュレータの一実施形態を示す概略図；図１０ａ、ｂは、それぞれ本発明のキャリアプレートのさらに他の実施形態を示す正面図である。
【００１５】
図１に示すキャリアプレート１０は、上下から延びるインナーケーブル１３、１４の端部を係止するエンドホルダ１１と、そのエンドホルダに着脱自在に連結されるリテイナー１２とからなる。
【００１６】
エンドホルダ１１は、図２ａ〜ｃに示すように、矩形状の基板１５と；その基板に設けられた、上から挿入される上インナーケーブル１３の上ケーブルエンド１３ａを係止するケーブル係止部１６と；前記基板１５に斜め上向きに突出して設けられた、下から挿入される下インナーケーブル１４の下ケーブルエンド１４ａを係止するケーブルホルダ１７と；前記基板に設けられた、下から挿入される下インナーケーブル１４を湾曲させ、斜め上向きにケーブルホルダ１７に導くガイド溝１８と；前記基板の中央に形成された、窓ガラスの下端に取り付けられるガラスホルダー２２（図３参照）を固定するホルダー固定部１９と；前記基板の上端に形成された、ガラスホルダー２２をガイドして支持するホルダー支持部２０と；前記基板の下端に形成された袋状のホルダー挿入部２１とを備えている。
【００１７】
ここで、図３ａに示すように上ケーブルエンド１３ａは、円柱状のものであり、上インナーケーブル１３は、ケーブルエンド１３ａの側面中央から半径方向に延びている。つまり、上インナーケーブル１３と上ケーブルエンド１３ａの軸は直交している。
【００１８】
また、図３ｂに示すように下ケーブルエンド１４ａは、柱状のものであり、その先端にフランジ部１４ｂを備えているものであり、下インナーケーブル１４は、下ケーブルエンド１４ａの底面から軸方向に延びている。つまり、下インナーケーブル１４と下ケーブルエンド１４ａの軸は同心上にある。
さらに、インナーケーブル１３、１４は、複数の金属線を撚り合わせ、合成樹脂コートを設けたものであり、プルコントロールケーブルに用いられるものである。特に、合成樹脂コートの材料として、ポリエチレン（ＰＥ）、ポリアセタール（ＰＯＭ）、ポリアミド（ＰＡ）が用いられる。
【００１９】
図３ｃ、ｄに示すようにガラスホルダー２２は、キャリアプレートに係止される固定部２３を備えた本体２４と、その本体の上端に形成された上方に開放した断面Ｕ字状の窓ガラス保持部２５とからなり、窓ガラス保持部２５は、本体２４に対して前方（図面の手前方向）および左右に突出したフランジとなっている。また、固定部２３は、貫通孔である。この窓ガラス保持部２５内に窓ガラスの下端を挿入して、ガラスホルダー２２は窓ガラスに取り付けられる。
【００２０】
図２に戻って、ケーブル係止部１６は、基板１５の面と平行な横向きの軸を有する円柱状の内部空間１６ａと、その内部空間を囲む外壁１６ｂと、その外壁に形成されたケーブル孔１６ｃとからなる。外壁１６ｂには、インナーケーブル１３の軸を基板１５と垂直にし、上ケーブルエンド１３ａの軸と内部空間１６ａの軸とを合わせて、上ケーブルエンド１３ａを軸方向に移動させながら内部空間に挿入することができるケーブルエンド挿入口２６（内部空間１６ａの開口部）（図２ｃ参照）と；その上ケーブルエンド１３ａを挿入するときインナーケーブル１３を通すための、ケーブルエンド挿入口２６から内部空間の軸と平行に延びる第１ケーブル溝２７（図２ｂ、ｃ参照）と；上ケーブルエンド１３ａをケーブル係止部１６に挿入した状態で、インナーケーブル１３をエンドホルダ１１に対して平行となるように上向きに回転させるときにインナーケーブル１３を通すための、ケーブル孔１６ｃに連続し、内部空間１６ａの軸と垂直に延びる第２ケーブル溝２８（図２ｂ参照）とが形成されている。
【００２１】
このように構成されているため、上ケーブルエンド１３ａをケーブル係止部１６内に係止した場合、上インナーケーブル１３をケーブル孔１６ｃ方向（図２ａの上向き）に引っ張っても上ケーブルエンド１３ａは、ケーブル係止部１６内で係止される。
【００２２】
ケーブルホルダ１７は、下から挿入されるケーブルエンド１４ａを軸方向に移動自在に収容するものであり、先端側は開放されており、基端側にスプリング２９の一端を受ける底部３１と、その底部の側縁から垂直に延びる断面Ｕ字状の側壁３２とを備えている（図２ａ参照）。この底部３１には、ガイド溝１８と連続する連通孔３１ａが形成されている。このケーブルホルダ１７には、ケーブルエンド１４ａと共にスプリング２９が収容され、スプリング２９は、底部３１とケーブルエンド１４ａのフランジ１４ｂとの間に配置される。また、ケーブルホルダ１７の外周には、後述するリテイナー１２を固定するための嵌合部３０が形成されている（図２ｂ参照）。ここで嵌合部３０は、後述するリテイナー１２のクリップ部（図４の符号４３）を受ける係合溝である。
【００２３】
このように構成されているため、ケーブルホルダ１７内では、スプリング２９が下インナーケーブル１４の張力が常に一定の値となるように下ケーブルエンド１４ａのフランジ部１４ｂを付勢する。そのため、使用による下インナーケーブル１４の張力低下を防止する。このスプリング２９としては、圧縮コイルスプリングなどが用いられる。
すなわち、ケーブルホルダ１７、スプリング２９、下ケーブルエンド１４ａが、インナーケーブル１４の伸び吸収機構を構成している。
【００２４】
このように湾曲したガイド溝１８を備えることにより、上下のインナーケーブル１３、１４を同心としながら、それぞれケーブル係止部１６およびケーブルホルダ１７に係止されるケーブルエンド１３ａ、１４ａの軸が同一線上にならない。そのため、一方向に長いキャリアプレートが形成されず、ケーブルエンドの強度を保った小型のキャリアプレートを得ることができる。
また、下インナーケーブル１４がガイド溝１８の開口している方向から外れないように、基板１５のガイド溝の入口近辺に突起３５が設けられている。これにより、インナーケーブルは、突起３５とケーブル溝の底によって支持される。
このようなエンドホルダ１１は、その強度の面から、ポリブチレンテレフタレート（ＰＢＴ）、ポリアセタール（ＰＯＭ）、ポリエチレンテレフタレート（ＰＥＴ）等の合成樹脂、あるいは、金属によって形成される。
【００２５】
ホルダー固定部１９は、ボルトとナット等でガラスホルダーの固定部２３と締結する貫通孔である。
ホルダー支持部２０は、窓ガラスの下端またはガラスホルダーを支持するアーム部３３と、そのアーム部の先端に形成された、窓ガラスを下降させながらキャリアプレートに組み付けるときに窓ガラスの下端またはガラスホルダーをガイドするテーパー状のガイド部３４とからなる。
【００２６】
ホルダー挿入部２１は、基板表面との間に上向きの開口部３６を有する空間（図２ａ参照）を形成するものであり、基板表面から突出した底壁２１ａとその底壁から基板と平行して立ち上がる側壁２１ｂとからなる（図２ｃ参照）。そして、ガラスホルダー２２をホルダー支持部２０に配置したときに、ガラスホルダーの本体２４の下端２４ａがこのホルダー挿入部２１内に収容される。
【００２７】
リテイナー１２は、図４ａ〜ｃに示すように、ケーブルホルダ１７の外周に装着する、開口部４１ａを備えた中空のリテイナー本体４１と；そのリテイナー本体の開口部４１ａ外縁から突出して形成された、エンドホルダ１１と係合してリテイナー本体を支持する二本の支持部４２と；前記リテイナー本体４１の開口部４１ａ外縁に形成された前記ケーブルホルダの嵌合部３０とクリップ嵌合するクリップ部４３とからなる。また、このリテイナー１２の底部に、クリップ部４３を射出成形するために設けられた型抜き４４を備えている。
このリテイナー１２をエンドホルダのケーブルホルダ１７に被せることにより、ケーブルホルダ１７の先端および側面の開口を塞ぎ、インナーケーブル１４、ケーブルエンド１４ａおよびスプリング２９の飛び出しを防止する。
【００２８】
また、図１ａ、ｂに示すように、二本の支持部４２は、リテイナー１２をエンドホルダ１１に被せたとき、上ケーブルエンド１３ａから延びる上インナーケーブル１３を挟むように構成されている。このように支持部４２で上インナーケーブル１３を挟むことにより、上インナーケーブル１３の第２ケーブル溝２８方向への動きを拘束し、上ケーブルエンド１３ａがケーブル係止部１６内で回転し、上ケーブルエンド１３ａがケーブル係止部１６から外れることを防止する。
【００２９】
このように構成されるキャリアプレート１０は次のようにして組み立てられる。初めに上ケーブルエンド１３ａをケーブルエンド挿入口２６からケーブル係止部１６の内部空間１６ａ内に挿入させると共に、上ケーブルエンド１３ａのインナーケーブル１３を第１ケーブル溝２７に通す。そして、上ケーブルエンド１３ａをケーブル係止部１６の内部空間１６ａ内で回転させ、インナーケーブル１３を第２ケーブル溝２８に通し、上ケーブルエンド１３ａをケーブル係止部１６に係止する。
一方、下ケーブルエンド１４ａの下インナーケーブル１４をガイド溝１８に通し、下ケーブルエンド１４ａをスプリング２９と共にケーブルホルダ１７内に収容する。そして、下ケーブルエンド１４ａおよびスプリング２９を収容した状態で、リテイナー１２をケーブルホルダ１７の外周に先端側から装着し、軸方向にスライドさせ、支持部４２とエンドホルダ１１を係合させると共に、ケーブルホルダの嵌合部３０とリテイナーのクリップ部４３とを嵌合させる。
【００３０】
このキャリアプレート１０とガラスホルダー２２の連結状態を図５ａ、ｂに示す。このキャリアプレート１０は、ホルダー挿入部２１を備えているため、ガラスホルダー２２をホルダー固定部１９で係止するとき、ガラスホルダーの下端をホルダー挿入部２１に挿入するだけで、ガラスホルダーの固定部２３と、ホルダー固定部１９とを合わせることができる。また、そのとき、ホルダー挿入部２１は、窓ガラスが倒れないように支持するため、ガラスホルダーの固定部２３と、ホルダー固定部１９とを合わせた状態で保持することができ、ボルトとナットを用いて係止する間に窓ガラスの保持に余計な注意を傾ける必要がなく、その連結作業が容易である。
このようにキャリアプレート１０は、ケーブルの伸び取り機構を備えており、かつ、小型で強度が高い。
【００３１】
図６に示すキャリアプレート５０は、エンドホルダ５１と、そのエンドホルダに連結されるリテイナー５２とからなり、ガラスホルダーの下端を覆うホルダー挿入部７５が、エンドホルダ５１とリテイナー５２の連結によって形成されるものである。
【００３２】
エンドホルダ５１は、図７ａ〜ｃに示すように、矩形状の基板５５と；その基板に設けられた、下から挿入されるインナーケーブル５３の下ケーブルエンド５３ａを係止するケーブル係止部５６と；前記基板に斜め下向きに突出して設けられた、上から挿入されるインナーケーブル５４の上ケーブルエンド５４ａを係止するケーブルホルダ５７と；前記基板に設けられた、上から挿入されるインナーケーブル５４を湾曲させながらケーブルホルダ５７に導くガイド溝５８と；前記基板の中央に形成された、ガラスホルダー６２を固定するホルダー固定部５９と；前記基板の上端に形成された、ガラスホルダー６２をガイドして支持するホルダー支持部６０とを備えている。
【００３３】
ここで、下ケーブルエンド５３ａは、図３ａのケーブルエンド１３ａと実質的に同じものであり、上ケーブルエンド５４ａは、図３ｂのケーブルエンド１４ａと実質的に同じ、フランジ部５４ｂを備えたものである。また、ガラスホルダー６２は、図３ｃ、ｄのガラスホルダー２２と実質的に同じ、固定部を備えた本体と、窓ガラス保持部とからなるものである。
【００３４】
ケーブル係止部５６は、図２のエンドホルダ１１のケーブル係止部１６と実質的に同じで、図７ａに示すように、内部空間５６ａと、外壁５６ｂと、ケーブル孔５６ｃとからなり、外壁５６ｂが、ケーブルエンド挿入口６６と、第１ケーブル溝６７と、第２ケーブル溝６８とを備えたものである。
ケーブルホルダ５７は、図２のエンドホルダ１１のケーブルホルダ１７と実質的に同じ断面Ｕ字状であり、その外周面に形成された嵌合部７０と、壁３１と、側壁３２とを備えている。そして、図２のエンドホルダ１１と同様に、スプリング２９を、壁３１と、上ケーブルエンド５４ａとの間に挿入する。
ホルダー支持部６０は、図２のエンドホルダ１１のホルダー支持部２０と実質的に同じものであり、アーム部７３と、ガイド部７４とからなる。
また、ホルダー固定部５９も、それぞれ図２のエンドホルダ１１のホルダー固定部１９と実質的に同じものである。そして、そのエンドホルダ５１は、エンドホルダ１１と同様にポリブチレンテレフタレート（ＰＢＴ）、ポリアセタール（ＰＯＭ）、ポリエチレンテレフタレート（ＰＥＴ）等から形成される。
【００３５】
リテイナー５２は、図８ａ〜ｃに示すように、本体８１の開口部８１ａの一部から幅方向に広がるように形成された横壁７５ａと、その横壁７５ａの端縁からリテイナーの軸方向に立ち上がる縦壁７５ｂとからなる段部を内面に備えている。この横壁７５ａと縦壁７５ｂとそれらに覆われたエンドホルダの基板５５の表面とからなる部位が、図６ａに示すようにホルダー挿入部７５となる。
リテイナー５２の他の構成は、図４のリテイナー１２と実質的に同じものであり、本体８１と、支持部８２と、クリップ部８３と、型抜き８４とからなる。
【００３６】
すなわち、このキャリアプレート５０は、ケーブルホルダ５７、スプリング２９、上ケーブルエンド５４ａが上から挿入される上インナーケーブル５４の伸び取り機構を構成している。
【００３７】
次に、キャリアプレート１０及び５０を備えたウインドレギュレータ９０を図９に示す。ウインドレギュレータ９０は、ドアＤのインナーパネルＰに取り付けられるものであり、左上プーリ９１ａ、右上プーリ９１ｂ、右下プーリ９１ｃ、ケーブルスライダ９１ｄの４つのケーブルガイドと、その上下のケーブルガイドを直接繋ぐように８字状に配索されるインナーケーブルＣと、そのインナーケーブルを往復駆動する駆動装置９２とを備えている。ここで、左上のケーブルガイド９１ａと、駆動装置９２とはガイドプレート９４によって連結されている。前の上下のケーブルガイドの間に図１のキャリアプレート１０が備え付けられ、後ろの上下のケーブルガイドの間に図７のキャリアプレート５０が備え付けられている。駆動装置９２から下向きに延びるインナーケーブルはケーブルスライダ９１ｄによって方向転換され、その端部はキャリアプレート１０の伸び吸収機構に連結されている。駆動装置９２から上向きに延びるインナーケーブルはプーリ９１ｂで方向転換され、その端部はキャリアプレート５０の伸び吸収機構に連結されている。そのため、使用によって生じるケーブルの伸びを吸収することができる。このウインドレギュレータ９０は、アウターケーシングは用いていない。ただし、用いてもよい。
【００３８】
このウインドレギュレータ９０の組立方法は、初めに、４つのケーブルガイドをドアのインナーパネルに取り付ける。これにより駆動装置９２も一時的に固定される。そして、キャリアプレート１０、５０およびそれらをつなぐインナーケーブル１４を調整する。その後、ガラスホルダー２２、６２を下端に取り付けた窓ガラスＷをドアの上部から挿入する。
【００３９】
図１０ａに示すキャリアプレート９５は、矩形状の基板９６と；その基板に設けられた、下から挿入される下インナーケーブル１３の下ケーブルエンド１３ａを係止するケーブル係止部９７と；前記基板１５から斜め下に突出して設けられた、上から挿入される上インナーケーブル１４の上ケーブルエンド１４ａを係止するケーブルホルダ９８と；前記基板に設けられた、上インナーケーブル１４を湾曲させながらケーブルホルダ９８に導くガイド溝９９と；前記基板の中央に形成された、窓ガラスホルダーを固定するホルダー固定部１００と；前記基板の裏面から突出するように形成された、ガラスホルダー２２をガイドして支持するホルダー支持部１０１とを備えている。
【００４０】
このキャリアプレート９５のケーブルホルダ９８も、図１のケーブルエンド１１のケーブルホルダ１７と同様に、ケーブルエンド１４ａを軸方向に移動自在に収容する断面Ｕ字状のものであり、先端側は開放されており、基端側にスプリングの一端を受ける壁３１と側壁３２とが形成されている。そして、壁３１とケーブルエンド１４ａとの間にスプリング２９を配置させることによって、インナーケーブル１４の伸び吸収機構を構成する。
【００４１】
ホルダー支持部１０１は、基板９６の裏面側（図８ａの裏方向）に突出したガラスホルダーを支持するアーム部１０２と、そのアーム部の先端から上方に形成されており、窓ガラスを下降させながらキャリアプレートに組み付けるときにガラスホルダーをガイドするテーパー状のガイド部１０３とからなる。そして、このキャリアプレート９５では、ガラスホルダーを基板９６とガイド部１０３との間に挟むようにして固定する。
【００４２】
他の構成としては、リテイナーを備えていないことを除けば、図１のキャリアプレートと実質的に同じである。
このため、このキャリアプレート９５も、充分な強度を持った小型のものであり、使用によるインナーケーブルの伸びを吸収する。
【００４３】
図１０ｂのキャリアプレート９５ｂも、リテイナーを有さないものであり、下から延びるインナーケーブル１０４を湾曲させてケーブルホルダ９８に導き、そのケーブルホルダ９８にケーブルエンド１０４ａとスプリング２９とを共に収容するものである。他の構成は、図８ａのキャリアプレート６０と実質的に同じであり、ケーブル係止部９７と、ガイド溝９９と、ホルダー固定部１００と、ホルダー支持部１０１とを備えている。
【図面の簡単な説明】
【００４４】
【図１】図１ａ、ｂは、本発明のキャリアプレートの一実施形態を示す正面図、背面図である。
【図２】図２ａ、ｂ、ｃは、図１のキャリアプレートのエンドホルダを示す正面図、背面図、左側面図である。
【図３】図３ａ、ｂは、それぞれ本発明のキャリアプレートに用いられるケーブルエンドの側面図であり、図３ｃ、ｄは、本発明のキャリアプレートに用いられるガラスホルダーの正面図、背面図である。
【図４】図４ａ、ｂ、ｃは、図１のキャリアプレートのリテイナーを示す正面図、背面図、左側面図である。
【図５】図５ａ、ｂは、図１のキャリアプレートとガラスホルダーの連結状態を示す正面図、背面図である。
【図６】図６ａ、ｂは、本発明のキャリアプレートの他の実施形態を示す正面図、背面図である。
【図７】図７ａ、ｂ、ｃは、図６のキャリアプレートのエンドホルダを示す正面図、背面図、左側面図である。
【図８】図８ａ、ｂ、ｃは、図６のキャリアプレートのリテイナーを示す正面図、背面図、左側面図である。
【図９】本発明のウインドレギュレータの一実施形態を示す概略図である。
【図１０】図１０ａ、ｂは、それぞれ本発明のキャリアプレートのさらに他の実施形態を示す正面図である。
【符号の説明】
【００４５】
１０  キャリアプレート
１１  エンドホルダ
１２  リテイナー
１３  上のインナーケーブル
１３ａ  ケーブルエンド
１４  下のインナーケーブル
１４ａ  ケーブルエンド
１４ｂ  フランジ部
１５  基板
１６  ケーブル係止部
１６ａ  内部空間
１６ｂ  外壁
１６ｃ  ケーブル孔
１７  ケーブルホルダ
１８  ガイド溝
１９  ホルダー固定部
２０  ホルダー支持部
２１  ホルダー挿入部
２１ａ  底壁
２１ｂ  側壁
２２  ガラスホルダー
２３  固定部
２４  本体
２４ａ  ガラスホルダーの下端
２５  窓ガラス保持部
２６  ケーブルエンド挿入口
２７  第１ケーブル溝
２８  第２ケーブル溝
２９  スプリング
３０  嵌合部
３１  底部
３１ａ  連通孔
３２  側壁
３３  アーム部
３４  ガイド部
３５  突起
３６  開口部
４１  リテイナー本体
４１ａ  開口部
４２  支持部
４３  クリップ部
４４  型抜き
５０  キャリアプレート
５１  エンドホルダ
５２  リテイナー
５５  基板
５３  下のインナーケーブル
５３ａ  ケーブルエンド
５４  上のインナーケーブル
５４ａ  ケーブルエンド
５４ｂ  フランジ部
５６  ケーブル係止部
５６ａ  内部空間
５６ｂ  外壁
５６ｃ  ケーブル孔
５７  ケーブルホルダ
５８  ガイド溝
５９  ホルダー固定部
６０  ホルダー支持部
６２  ガラスホルダー
６６  ケーブルエンド挿入口
６７  第１ケーブル溝
６８  第２ケーブル溝
７０  嵌合部
７３  アーム部
７４  ガイド部
８１  本体
８１ａ  開口部
７５  ホルダー挿入部
７５ａ  横壁
７５ｂ  縦壁
８２  支持部
８３  クリップ部
８４  型抜き
９０  ウインドレギュレータ
９１ａ、９１ｂ、９１ｃ  プーリ
９１ｄ  ケーブルスライダ
９２  駆動装置
９４  ガイドプレート
９５、９５ｂ  キャリアプレート
９６  基板
９７  ケーブル係止部
９８  ケーブルホルダ
９９  ガイド溝
１００  ホルダー固定部
１０１  ホルダー支持部
１０２  アーム部
１０３  ガイド部
１０４  インナーケーブル
１０４ａ  ケーブルエンド
【図１】
0005171133.tif 000002
【図２】
0005171133.tif 000003
【図３】
0005171133.tif 000004
【図４】
0005171133.tif 000005
【図５】
0005171133.tif 000006
【図６】
0005171133.tif 000007
【図７】
0005171133.tif 000008
【図８】
0005171133.tif 000009
【図９】
0005171133.tif 000010
【図１０】
0005171133.tif 000011